【手続補正書】
【提出日】平成19年4月11日(2007.4.11)
【手続補正１】
【補正対象書類名】明細書
【補正対象項目名】請求項１
【補正方法】変更
【補正の内容】
【請求項１】  通信媒体で第一の拡散系列に従って送信される第一のスペクトル拡散信号で符号化された情報を復元する方法であり、通信媒体から第一のスペクトル拡散信号を含む複合信号を受信し、複合信号を第一の拡散系列と相関させることにより、複合信号と第一の拡散系列との複数の時間のずれた相関を作成する方法であって、更に
パルス形状情報を含む、複合信号の中に存在するスペクトル拡散信号の情報に基づいて重み係数を生成し、
重み係数に従って相関を合成することにより、送信された第一のスペクトル拡散信号で符号化された情報を推定する、ステップ
を備えたことを特徴とする方法。
【手続補正２】
【補正対象書類名】明細書
【補正対象項目名】請求項４
【補正方法】変更
【補正の内容】
【請求項４】  請求項１の方法であって、重み係数を生成する前記ステップが、
第一の拡散系列の情報から複合チャネル応答を推定し、
第一の拡散系列の情報と、複合信号の中の第二のスペクトル拡散信号のパワーの推定値と、複合信号の中の雑音のパワーの推定値とから、損傷相関を推定し、
推定された複合チャネル応答と推定された損傷相関から重み係数を生成する、ステップ
を含む、方法。
【手続補正３】
【補正対象書類名】明細書
【補正対象項目名】請求項１５
【補正方法】変更
【補正の内容】
【請求項１５】  請求項１の方法であって、
重み係数を生成する前記ステップは、推定されたチャネル応答と、推定された損傷相関と、前に決められた重み係数とから重み係数を反復生成することを含み、
合成する前記ステップは、反復生成された重み係数に従って相関を合成することにより、送信された第一のスペクトル拡散信号で符号化された情報を推定することを含む、方法。
【手続補正４】
【補正対象書類名】明細書
【補正対象項目名】請求項１７
【補正方法】変更
【補正の内容】
【請求項１７】  請求項１５の方法であって、更に
第一の拡散系列の情報から、推定されたチャネル応答を生成し、
第一の拡散系列の情報と、複合信号の中の第二のスペクトル拡散信号のパワーの推定値と、複合信号の中の雑音のパワーの推定値とから、推定された損傷相関を生成する、ステップ、
を含む、方法。
【手続補正５】
【補正対象書類名】明細書
【補正対象項目名】請求項１８
【補正方法】変更
【補正の内容】
【請求項１８】  通信媒体で第一の拡散系列に従って送信される第一のスペクトル拡散信号で符号化された情報を復元する装置であり、通信媒体から第一のスペクトル拡散信号を含む複合信号を受信する手段と、前記受信手段に応答して、複合信号を第一の拡散系列と相関させることにより、複合信号と第一の拡散系列との複数の時間のずれた相関を作成する装置であって、更に
通信媒体から第一のスペクトル拡散信号を含む複合信号を受信する手段と、
前記受信手段に応答して、複合信号を第一の拡散系列と相関させることにより、複合信号と第一の拡散系列との複数の時間のずれた相関を作成する手段と、
パルス形状情報を含む、複合信号の中のスペクトル拡散信号の情報に基づいて重み係数を生成する手段と、
前記相関作成手段と前記重み係数生成手段とに応答して、重み係数に従って相関を合成することにより、送信された第一のスペクトル拡散信号で符号化された情報を推定する手段と、
を備えたことを特徴とする装置。
【手続補正６】
【補正対象書類名】明細書
【補正対象項目名】請求項２１
【補正方法】変更
【補正の内容】
【請求項２１】  請求項１８の装置であって、重み係数を生成する前記手段が、
第一の拡散系列の情報から複合チャネル応答を推定する手段と、
第一の拡散系列の情報と、複合信号の中の第二のスペクトル拡散信号のパワーの推定値と、複合信号の中の雑音のパワーの推定値とから、損傷相関を推定する手段と、
推定された複合チャネル応答と推定された損傷相関から重み係数を生成する手段と
を含む、装置。
【手続補正７】
【補正対象書類名】明細書
【補正対象項目名】請求項３２
【補正方法】変更
【補正の内容】
【請求項３２】  請求項１８の装置であって、
重み係数を生成する前記手段は、推定されたチャネル応答と、推定された損傷相関と、前に決められた重み係数とから重み係数を反復生成する手段を含み、
合成する前記手段は、重み係数を反復生成する前記手段と相関させる前記手段とに応答して、反復生成された重み係数に従って相関を合成することにより、送信された第一のスペクトル拡散信号で符号化された情報を推定する手段を含む、装置。
【手続補正８】
【補正対象書類名】明細書
【補正対象項目名】請求項３４
【補正方法】変更
【補正の内容】
【請求項３４】  請求項３２の装置であって、更に
第一の拡散系列の情報から、推定されたチャネル応答を生成する手段と、
第一の拡散系列の情報と、複合信号の中の第二のスペクトル拡散信号のパワーの推定値と、複合信号の中の雑音のパワーの推定値とから、推定された損傷相関を生成する手段と、
を含む、装置。
【手続補正９】
【補正対象書類名】明細書
【補正対象項目名】００１０
【補正方法】変更
【補正の内容】
【００１０】
一つのユーザデータストリームに対応する情報を復元するために、いわゆるＲＡＫＥ受信器構造が通常、使用される。代表的なＲＡＫＥ受信器では受信された複合信号は通常、受信器に割り当てられた特定の拡散系列と相関させられ、複数の、時間がずらされた相関が作成される。複数の、時間がずらされた相関のそれぞれ一つが、送信されたスペクトル拡散信号のエコーに対応する。次に、相関は重み付け形式で合成される。すなわち、それぞれの相関はそれぞれの重み係数を乗算された後、加算されて、判断統計量が作成される。
【手続補正１０】
【補正対象書類名】明細書
【補正対象項目名】００１５
【補正方法】変更
【補正の内容】
【００１５】
本発明によれば、パルス形状情報を含む、複合信号の中に存在するスペクトル拡散信号の情報に基づいて、たとえば所望の系列の統計的性質と他の系列を使用する干渉するスペクトル拡散信号のパワーとに基づいて生成される重み係数を使用して、受信された複合信号と所望の拡散系列との相関値（以下、相関と称す。）に重みを付けて合成する方法および装置により、上記の、そして他の目的、特徴、および利点を提供することができる。更に詳しく述べると、所望の系列の統計的性質と、複合信号の中に存在する少なくとも一つの他のスペクトル拡散信号と雑音のパワー推定値とを使用して推定される複合チャネル応答から重み係数を生成することができる。本発明の一側面によれば、前に演算された重み係数から、更新された重み係数が反復推定され、損傷(impairment)相関行列の逆行列を計算する必要がなくなる。
【手続補正１１】
【補正対象書類名】明細書
【補正対象項目名】００１６
【補正方法】変更
【補正の内容】
【００１６】
特に、本発明によれば、通信媒体で第一の拡散系列に従って送信される第一のスペクトル拡散信号で符号化された情報が復元される。第一のスペクトル拡散信号を含む複合信号が通信媒体から受信される。複合信号を第一の拡散系列と相関させることにより、複合信号と第一の拡散系列との複数の時間のずれた相関が作成される。パルス形状情報を含み、複合信号の中に存在するスペクトル拡散信号の情報に基づいて、重み係数が生成される。重み係数に従って相関を合成することにより、送信された第一のスペクトル拡散信号で符号化された情報が推定される。
【手続補正１２】
【補正対象書類名】明細書
【補正対象項目名】００１７
【補正方法】変更
【補正の内容】
【００１７】
本発明の一実施例によれば、第一の拡散系列の情報から複合チャネル応答が推定される。第一の拡散系列の情報と、複合信号の中の第二のスペクトル拡散信号のパワーの推定値と、複合信号の中の雑音のパワーの推定値とから、損傷相関が推定される。次に、推定された複合チャネル応答と推定された損傷相関から重み係数が生成される。
【手続補正１３】
【補正対象書類名】明細書
【補正対象項目名】００１９
【補正方法】変更
【補正の内容】
【００１９】
本発明のもう一つの側面によれば、推定されたチャネル応答と、推定された損傷相関と、前に決められた重み係数とから重み係数が反復生成される。第一のスペクトル拡散信号を含む複合信号が通信媒体から受信される。複合信号を第一の拡散系列と相関させることにより、複合信号と第一の拡散系列との複数の時間のずれた相関が生成される。反復生成された重み係数に従って相関を合成することにより、送信された第一のスペクトル拡散信号で符号化された情報が推定される。チャネル応答は、第一の拡散系列の情報から推定された複合チャネル応答であってもよく、損傷相関は第一の拡散系列の情報と、複合信号の中の第二のスペクトル拡散信号のパワーの推定値と、複合信号の中の雑音のパワーの推定値とから推定されてもよい。
【手続補正１４】
【補正対象書類名】明細書
【補正対象項目名】００２０
【補正方法】変更
【補正の内容】
【００２０】
本発明のもう一つの側面によれば、通信媒体で送信される第一のスペクトル拡散信号で符号化された情報を復元する装置は、通信媒体から第一のスペクトル拡散信号を含む複合信号を受信する手段を含む。受信手段に応答して、複合信号を第一の拡散系列と相関させることにより、複合信号と第一の拡散系列との複数の時間のずれた相関を作成する手段が設けられる。パルス形状情報を含む、複合信号の中のスペクトル拡散信号の情報に基づいて重み係数を生成する手段が設けられる。相関作成手段と重み係数生成手段とに応答して、重み係数に従って相関を合成することにより、送信された第一のスペクトル拡散信号で符号化された情報を推定する手段も設けられる。
【手続補正１５】
【補正対象書類名】明細書
【補正対象項目名】００２１
【補正方法】変更
【補正の内容】
【００２１】
本発明のもう一つの側面によれば、第一のスペクトル拡散信号で符号化された情報を復元する装置は、推定されたチャネル応答と、推定された損傷相関と、前に決められた重み係数とから重み係数を反復生成する手段を含む。通信媒体から第一のスペクトル拡散信号を含む複合信号を受信する手段が設けられる。受信手段に応答して、複合信号を第一の拡散系列と相関させることにより、複合信号と第一の拡散系列との複数の時間のずれた相関を作成する手段も設けられる。重み係数反復生成手段と相関作成手段とに応答して、反復生成された重み係数に従って相関を合成することにより、送信された第一のスペクトル拡散信号で符号化された情報を推定する手段も設けられる。
【手続補正１６】
【補正対象書類名】明細書
【補正対象項目名】００２２
【補正方法】変更
【補正の内容】
【００２２】
本発明のもう一つの側面によれば、第一の拡散系列に従って符号化される第一のスペクトル拡散信号で符号化された情報を復元する装置は、複合信号を第一の拡散系列と相関させることにより、複合信号と第一の拡散系列との複数の時間のずれた相関を作成するように動作する相関ユニットを含む。重み係数発生器は、パルス形状情報を含む、複合信号の中のスペクトル拡散信号の情報に基づいて重み係数を生成するように動作する。重み付き合成器は、相関ユニットと重み係数発生器とに応答し、重み係数に従って相関を合成することにより判断統計量を作成する。検出器は、重み付き合成器に応答し、判断統計量から、送信された第一のスペクトル拡散信号で符号化された情報の推定値を生成するように動作する。
【手続補正１７】
【補正対象書類名】明細書
【補正対象項目名】００２３
【補正方法】変更
【補正の内容】
【００２３】
本発明の一実施例によれば、重み係数発生器は、推定されたチャネル係数と第一の拡散系列の情報とから複合チャネル応答を計算するように動作する複合チャネル応答計算器を含む。損傷相関計算器は、推定されたチャネル係数と、第一の拡散系列の知識と、複合信号の中の第二のスペクトル拡散信号のパワーの推定値と、複合信号の中の雑音のパワーの推定値とから、損傷相関を計算するように動作する。重み係数計算器は、複合チャネル応答計算器と損傷相関計算器とに応答して、計算された複合チャネル応答と計算された損傷相関とから重み係数を計算する。
【手続補正１８】
【補正対象書類名】明細書
【補正対象項目名】００２６
【補正方法】変更
【補正の内容】
【００２６】
複合信号内のスペクトル拡散信号の情報に基づいて、更に詳しくは、信号を拡散するために使用される拡散系列の統計的性質に基づいて、複合信号の損傷（雑音プラス干渉）の性質を明確に判定できるという認識から本発明は生じる。この損傷の性質の推定値を使用して、合成プロセスに対する重み係数を発生し、重み付けされた合成により干渉と雑音の成分を除去することができる。本発明の実施例によれば、複合信号内のスペクトル拡散信号の性質を反映する複合チャネル応答および損傷相関行列から重み係数が決められる。もう一つの側面によれば、重み係数が反復作成され、損傷相関行列を反転する必要はなくなる。
【手続補正１９】
【補正対象書類名】明細書
【補正対象項目名】００２８
【補正方法】変更
【補正の内容】
【００２８】
相関ユニット４１０が作成する相関ｘ1，ｘ2，．．．ｘjは重み付き組合わせ（合成）器４２０で合成される。重み付き合成器４２０は、複合信号ｒ（ｔ）をそれから受信する通信媒体で送信されるスペクトル拡散信号の情報に基づいて重み係数発生器４３０が発生する重み係数ｗを使用する。後で詳しく示すように、これは所望の拡散系列ｓdの統計的性質についての情報、および複合信号ｒ（ｔ）に含まれる他のスペクトル拡散信号のパワーについての情報を含むことができる。重み付き合成器４２０は判断統計量ｚを作成する。次に、検出器４４０は判断統計量ｚを使用して、所望の拡散系列ｓdに対応する、もとの送信されたスペクトル拡散信号によって表される情報を推定する。検出器４４０は、たとえば、畳込みまたはターボ復号のような軟判定復号を用いることができる。
【手続補正２０】
【補正対象書類名】明細書
【補正対象項目名】００２９
【補正方法】変更
【補正の内容】
【００２９】
図４の受信器４００は多数の異なる仕方で実現することができる。ここでの説明では移動端末または無線通信システムの基地局と通信するように動作する他の端末で受信器４００を用いている。しかし、受信器４００は多数の他の形式で実現することができる。これらには、セルラー基地局トランシーバ、衛星トランシーバ、有線トランシーバ、および他の通信装置で使用される受信器が含まれるが、それらに限定されることはない。相関ユニット４１０、重み付き合成器４２０、重み係数発生器４３０、および検出器４４０は、たとえば特定用途向け集積回路（ＡＳＩＣ：ａｐｐｌｉｃａｔｉｏｎ−ｓｐｅｃｉｆｉｃｉｎｔｅｇｒａｔｅｄ ｃｉｒｃｕｉｔ）、ディジタル信号プロセッサ（ＤＳＰ：ｄｉｇｉｔａｌ ｓｉｇｎａｌｐｒｏｃｅｓｓｏｒ）チップ、または説明した処理機能を遂行するように構成された他の処理装置を使用して実現してもよい。一般に、受信器４００のこれらの構成要素および他の構成要素は、専用回路、専用または汎用のデータ処理装置で実行されるソフトウェアまたはファームウェア、またはそれらの組合わせを使用して実現することができる。
【手続補正２１】
【補正対象書類名】明細書
【補正対象項目名】００４７
【補正方法】変更
【補正の内容】
【００４７】
しかし、基地局がパワーレベル情報を送信しない場合には、基地局はなお、どの拡散符号が現在使用されているかを端末に知らせることができる。このような情報を使用して、干渉信号に対するパワー情報は、図７に示されるパワー推定器５４２のような装置を使用して決めることができる。受信された複合信号に対応するベースバンド信号ｒ（ｋ）は遅延７１０ａ−７１０Ｌのバンクを通される。ベースバンド信号ｒ（ｋ）の各遅延バージョンはデスクランブラ７２０ａ−７２０Ｌによってデスクランブルされ、高速ウォルシュ変換器７３０ａ−７３０Ｌによって処理される。次に、結果として得られる相関情報はチャネル推定値を使用して最大比組合わせ（合成）器７４０によって合成される。合成された値は各符号次元のエネルギーを示す。干渉パワー推定器７５０は（所望の符号以外の）アクティブ符号のよる次元のエネルギーを計算し、雑音パワー推定器７６０は非アクティブ符号よる次元のエネルギーを計算する。
【手続補正２２】
【補正対象書類名】明細書
【補正対象項目名】００４８
【補正方法】変更
【補正の内容】
【００４８】
アクティブ符号についての情報が端末に与えられない場合には、たとえば、最大比組合成器７４０の出力の自乗の大きさに閾値を設けることにより、どの符号がアクティブかを検出するように図７の装置を変形してもよい。非アクティブ符号に対する最大比組合成器の出力の自乗の大きさを平滑化することにより、白色雑音パワーの推定値を得ることができる。干渉による僅かなバイアスと所望の信号のエコーとがあってもよく、これらは除去することができる。アクティブ符号に対する最大比合成器７４０の出力の自乗の大きさを平滑化することにより、Ｉi＋Ｎの推定値を得ることができる。ここで、Ｉiはｉ番目のユーザの干渉パワーであり、Ｎは白色雑音パワーである。Ｎの推定値を使用して、Ｉiの推定値を得て、加算することにより、総合干渉パワーの推定値を得ることができる。拡散系列を検出し、特定の拡散符号と結合されたパワーを推定するための代表的な手法は、本発明の譲り受け人に譲渡され、ここに引用することにより全体が本発明の一部として組み入れられる、１９９９年１月２２日出願のウォン（Ｗａｎｇ）による米国特許出願第０９／２３５，４７０号に説明されている。
【手続補正２３】
【補正対象書類名】明細書
【補正対象項目名】００５２
【補正方法】変更
【補正の内容】
【００５２】
図８は、無線伝搬媒体のような通信媒体中で所望の拡散符号に従って伝送される拡散スペクトルによって表される情報を復元するための代表的な動作８００を示す。複合信号が通信媒体から受信され（ブロック８１０）、所望の拡散系列と相関されて、時間のずれた相関が作成される（ブロック８２０）。複合信号の中に存在する拡散信号の情報に基づいて、たとえば、式（１）−（１１）について説明したように所望の拡散系列の統計的性質および干渉するスペクトル拡散信号のパワーに基づいて、重み係数が作成される（ブロック８３０）。重み係数に従って相関を合成することにより、判断統計量を作成する（ブロック８４０）。判断統計量を使用することにより、もとの送信された情報の推定値を生成する（ブロック８５０）。
【手続補正２４】
【補正対象書類名】明細書
【補正対象項目名】００５３
【補正方法】変更
【補正の内容】
【００５３】
図９は、本発明の一側面により、このような重み係数を生成するための代表的な動作を示す。複合チャネル応答が推定される（ブロック９１０）。少なくとも一つの干渉するスペクトル拡散信号と他の雑音のパワーが判定される（ブロック９２０、９３０）。次に、パワー推定値、および自己相関関数Ｒp（ｔ）によって表されるパルス形状情報を含む、複合信号内に存在するスペクトル拡散信号の情報から、損傷相関が判定される（ブロック９４０）。損傷相関およびチャネル応答を使用して、重み係数が生成される（ブロック９５０）。